【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
それぞれの再生音量を変更可能な複数の音声出力装置に接続された情報処理装置であって、
複数の音声入力装置により入力された音声データのそれぞれをネットワークを介して受信する受信手段と、
前記複数の音声入力装置のうち第１の音声入力装置により入力された第１の音声データ及び第２の音声入力装置により入力された第２の音声データが前記複数の音声出力装置のうち第１の音声出力装置へ出力され、前記複数の音声入力装置のうち第３の音声入力装置により入力された第３の音声データが前記複数の音声出力装置のうち第２の音声出力装置へ出力されるように、前記受信手段が受信した音声データの出力先を決定する決定手段と、
前記第１及び第２の音声入力装置により入力された前記第１及び第２の音声データを前記第１の音声出力装置へ出力するために前記決定に応じてミキシングするミキシング手段と
を有することを特徴とする情報処理装置。
【請求項２】
前記決定手段は、前記第１及び第２の音声データを前記第１の音声出力装置へ出力し、前記第３の音声データを前記第２の音声出力装置へ出力することを、利用者の入力に基づいて決定することを特徴とする請求項１に記載の情報処理装置。
【請求項３】
前記決定手段は、前記第１及び第２の音声データを前記第１の音声出力装置へ出力し、前記第３の音声データを前記第２の音声出力装置へ出力することを、前記音声入力装置及び前記音声出力装置の機種に基づいて決定することを特徴とする請求項１に記載の情報処理装置。
【請求項４】
前記決定手段は、前記第１及び第２の音声データを前記第１の音声出力装置へ出力し、前記第３の音声データを前記第２の音声出力装置へ出力することを、第１の基準位置と前記第１及び第２及び第３の音声入力装置のそれぞれとの位置関係に応じた情報、及び、第２の基準位置と前記第１及び第２の音声出力装置のそれぞれとの位置関係に応じた情報に基づいて決定することを特徴とする請求項１に記載の情報処理装置。
【請求項５】
前記決定手段は、前記第１及び第２の音声データが、前記第１及び第２の音声入力装置に優先度が対応する前記第１の音声出力装置へ出力され、前記第３の音声データが、前記第３の音声入力装置に優先度が対応する前記第２の音声出力装置へ出力されるように、前記第１及び第２及び第３の音声入力装置の優先度と前記第１及び第２の音声出力装置の優先度とに基づいて出力先を決定することを特徴とする請求項１に記載の情報処理装置。
【請求項６】
前記受信手段は、前記第１及び第２及び第３の音声入力装置が接続された第１の情報処理装置と、第４及び第５の音声入力装置が接続された第２の情報処理装置から音声データを受信可能であり、
前記決定手段は、
前記第１の情報処理装置から音声データを受信している場合、前記第１及び第２の音声入力装置により入力された音声データが前記第１の音声出力装置へ出力され、前記第３の音声入力装置により入力された音声データが前記第２の音声出力装置へ出力され、
前記第１及び第２の情報処理装置から音声データを受信している場合、前記第１及び第２及び第３の音声入力装置により入力された音声データが前記第１の音声出力装置へ出力され、前記第４及び第５の音声入力装置により入力された音声データが前記第２の音声出力装置へ出力されるように、前記受信手段が受信した音声データの出力先を決定することを特徴とする請求項１に記載の情報処理装置。
【請求項７】
音声入力装置により入力された音声データが、前記出力先として決定された複数の音声出力装置で出力されるように分配する分配手段を有することを特徴とする請求項１乃至６のいずれか１項に記載の情報処理装置。
【請求項８】
前記受信手段は、前記決定手段により決定された出力先の変更のための指示を前記ネットワークを介して受信し、
前記情報処理装置は、更に、
前記受信した指示に応じて前記決定手段により決定された出力先を変更する変更手段を有することを特徴とする請求項１乃至７のいずれか１項に記載の情報処理装置。
【請求項９】
前記決定手段により決定された出力先の変更のための指示を入力する入力手段と、
前記入力に応じて前記決定手段により決定された出力先を変更するための変更手段と
を更に有することを特徴とする請求項１乃至７のいずれか１項に記載の情報処理装置。
【請求項１０】
それぞれの再生音量を変更可能な複数の音声出力装置に接続された情報処理装置が行う制御方法であって、
複数の音声入力装置により入力された音声データのそれぞれをネットワークを介して受信する受信工程と、
前記複数の音声入力装置のうち第１の音声入力装置により入力された第１の音声データ及び第２の音声入力装置により入力された第２の音声データが前記複数の音声出力装置のうち第１の音声出力装置へ出力され、前記複数の音声入力装置のうち第３の音声入力装置により入力された第３の音声データが前記複数の音声出力装置のうち第２の音声出力装置へ出力されるように、前記受信工程が受信した音声データの出力先を決定する決定工程と、
前記第１及び第２の音声入力装置により入力された前記第１及び第２の音声データを前記第１の音声出力装置へ出力するために前記決定に応じてミキシングするミキシング工程と
を有することを特徴とする制御方法。
【請求項１１】
それぞれの再生音量を変更可能な複数の音声出力装置に接続されたコンピュータに、
複数の音声入力装置により入力された音声データのそれぞれをネットワークを介して受信する受信手順と、
前記複数の音声入力装置のうち第１の音声入力装置により入力された第１の音声データ及び第２の音声入力装置により入力された第２の音声データが前記複数の音声出力装置のうち第１の音声出力装置へ出力され、前記複数の音声入力装置のうち第３の音声入力装置により入力された第３の音声データが前記複数の音声出力装置のうち第２の音声出力装置へ出力されるように、前記受信手順において受信した音声データの出力先を決定する決定手順と、
前記第１及び第２の音声入力装置により入力された前記第１及び第２の音声データを前記第１の音声出力装置へ出力するために前記決定に応じてミキシングするミキシング手順と
を実行させることを特徴とするプログラム。
【手続補正２】
【補正対象書類名】明細書
【補正対象項目名】発明の名称
【補正方法】変更
【補正の内容】
【発明の名称】情報処理装置ならびに情報処理装置の制御方法
【手続補正３】
【補正対象書類名】明細書
【補正対象項目名】０００９
【補正方法】変更
【補正の内容】
【０００９】
本発明は上記課題に鑑みてなされたものであり、複数の音声出力装置が接続された情報処理装置において受信した複数の入力音声の中の特定の入力音声の音量を変更できるようにすることを目的とする。
【手続補正４】
【補正対象書類名】明細書
【補正対象項目名】００１０
【補正方法】変更
【補正の内容】
【００１０】
上記の目的を達成するために本発明に係る情報処理装置は以下のような構成を備える。即ち、
それぞれの再生音量を変更可能な複数の音声出力装置に接続された情報処理装置であって、
複数の音声入力装置により入力された音声データのそれぞれをネットワークを介して受信する受信手段と、
前記複数の音声入力装置のうち第１の音声入力装置により入力された第１の音声データ及び第２の音声入力装置により入力された第２の音声データが前記複数の音声出力装置のうち第１の音声出力装置へ出力され、前記複数の音声入力装置のうち第３の音声入力装置により入力された第３の音声データが前記複数の音声出力装置のうち第２の音声出力装置へ出力されるように、前記受信手段が受信した音声データの出力先を決定する決定手段と、
前記第１及び第２の音声入力装置により入力された前記第１及び第２の音声データを前記第１の音声出力装置へ出力するために前記決定に応じてミキシングするミキシング手段とを有する。
【手続補正５】
【補正対象書類名】明細書
【補正対象項目名】００１１
【補正方法】変更
【補正の内容】
【００１１】
本発明によれば、複数の音声出力装置に接続された情報処理装置において受信した複数の入力音声の中の特定の入力音声の音量を変更できるようになる。